【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
キャビネットであって、前記キャビネットは：
前記キャビネットの内壁面の少なくとも大部分に沿った、少なくとも紫外光および／または可視青紫光に対して８５％超の反射率を示す材料と、
寸法調整可能な外周を有する第１のポートであって、上記外周は、前記第１のポートに部分的に挿入される品物の外周に一致することによって、前記第１のポートを、挿入された前記品物に対して封止するよう構成される、第１のポート；
ドアを有する第２のポート；及び
対象物を保持するために前記キャビネットの内部に配設される、１つ以上の支持構造体を備える、キャビネット。
【請求項２】
寸法調整可能な外周を有する第１のポートであって、上記外周は、前記第１のポートに部分的に挿入される品物の外周に一致することによって、前記第１のポートを、挿入された前記品物に対して封止するよう構成される、第１のポート；
ドアを有する第２のポート；及び
前記キャビネットの内部と前記キャビネットの外部との間に延在する、１つ以上の通気口を備える、キャビネット。
【請求項３】
第１のポートであって、前記第１のポートの外周は、噛合締結具をそれぞれ有する複数の隣接セクションを備え、上記噛合締結具の噛合時、前記第１のポートの前記外周は、所定の寸法の開口の周りの環状構造体を形成する、第１のポート；及び
ドアを有する第２のポート
を備える、キャビネット。
【請求項４】
前記第１のポートの前記外周から延在する前記キャビネットの一部分は、前記第１のポートの前記外周の前記複数の隣接セクションとそれぞれ連続した、複数の隣接セクションを備え、
前記キャビネットの前記一部分の前記複数の隣接セクションは、噛合締結具をそれぞれ備え、これにより：
前記第１のポートの前記外周及び前記キャビネットの前記一部分の両方の前記噛合締結具が噛合していないときに、品物を前記キャビネットの前記一部分に挿入して、前記第１のポートを通して外向きに延在させることができ；
前記第１のポートの前記外周及び前記キャビネットの前記一部分の両方の前記噛合締結具が噛合しているときに、挿入された前記品物を、前記キャビネットの前記一部分及び前記第１のポートの前記環状構造体が取り囲むことができる、請求項３に記載のキャビネット。
【請求項５】
前記複数の隣接セクションは、複数の隣接フラップであり、
前記隣接フラップの各前記噛合締結具は、ジッパー、ベルクロストラップ、スナップ及び磁石からなる群から選択される、請求項３又は４に記載のキャビネット。
【請求項６】
前記複数の隣接セクションのうちの少なくとも１つは、ドアを備える、請求項３又は４に記載のキャビネット。
【請求項７】
前記第１のポートは、前記キャビネットが配設される空間の床と平行な前記キャビネットの壁に沿って配設される、請求項１〜６のいずれか１項に記載のキャビネット。
【請求項８】
前記第１のポートは、前記キャビネットが配設される前記空間の前記床と垂直な前記キャビネットの壁に沿って配設される、請求項１〜６のいずれか１項に記載のキャビネット。
【請求項９】
前記第１のポートは、前記キャビネットが配設される前記空間の前記床から少なくとも１２インチ上方に配設される、請求項１〜８のいずれか１項に記載のキャビネット。
【請求項１０】
前記キャビネットは、人による占有に好適な空間の床上に配設され、
前記ドアは、前記キャビネットの床又は前記空間の前記床まで延在する、請求項１〜９のいずれか１項に記載のキャビネット。
【請求項１１】
キャビネットであって、前記キャビネットは：
前記キャビネットが配設される領域の床に平行であり、かつ前記床の上方に離間している、前記キャビネットの壁に沿った、第１のポート；
前記第１のポートの下方の空隙空間内において、前記キャビネットの外壁に取り付けられた、棚；及び
ドアを有する第２のポート
を備える、キャビネット。
【請求項１２】
前記第１のポートは、前記キャビネットが配設される前記領域の前記床から少なくとも１２インチ上方に配設される、請求項１１に記載のキャビネット。
【請求項１３】
前記領域は、人が占有するのに好適であり、
前記ドアは、前記キャビネットの床、又は前記領域の前記床まで延在する、請求項１１又は１２に記載のキャビネット。
【請求項１４】
対象物を保持するために前記キャビネットの内部に配設された、１つ以上の支持構造体を更に備える、請求項２〜１３のいずれか１項に記載のキャビネット。
【請求項１５】
前記１つ以上の支持構造体は、１つ以上のバスケット、１つ以上の棚、及び／又は１つ以上のトレイを備える、請求項１および１４のいずれか１項に記載のキャビネット。
【請求項１６】
前記１つ以上のバスケット、１つ以上の棚、及び／又は１つ以上のトレイは、前記キャビネットの内部表面に沿って配設される、請求項１５に記載のキャビネット。
【請求項１７】
前記１つ以上のバスケット、１つ以上の棚、及び／又は１つ以上のトレイは、前記キャビネット内に配設された自立型ラックによって支持される、請求項１５に記載のキャビネット。
【請求項１８】
前記１つ以上の支持構造体の少なくとも一部分は、殺菌光に対して透過性であり、及び／又は貫通孔を含む、請求項１および１４〜１７のいずれか１項に記載のキャビネット。
【請求項１９】
前記キャビネットの内部と前記キャビネットの外部との間に延在する１つ以上の通気口を更に備える、請求項１および３〜１８のいずれか１項に記載のキャビネット。
【請求項２０】
前記１つ以上の通気口は、殺菌剤フィルタを備える、請求項２または１９に記載のキャビネット。
【請求項２１】
前記１つ以上の通気口は、前記キャビネットの上側部分に沿って配設される、請求項２または１９に記載のキャビネット。
【請求項２２】
前記キャビネットの内部表面の少なくとも大部分は、少なくとも紫外光および／または可視青紫光に対する８５％超の反射率を示す材料を含む、請求項２〜２１のいずれか１項に記載のキャビネット。
【請求項２３】
前記キャビネットは折り畳み式である、請求項２〜２２のいずれか１項に記載のキャビネット。
【請求項２４】
前記キャビネットは、前記第２のポートによってアクセス可能な、少なくとも２０ｆｔ3の内部空隙を備える、請求項１〜２３のいずれか１項に記載のキャビネット。
【請求項２５】
前記キャビネットの内部に殺菌剤用量センサを更に備える、請求項１〜２４のいずれか１項に記載のキャビネット。
【請求項２６】
前記キャビネットの内部に占有率センサを更に備える、請求項１〜２５のいずれか１項に記載のキャビネット。
【請求項２７】
前記ドアの移動を監視するためのセンサを更に備える、請求項１〜２６のいずれか１項に記載のキャビネット。
【請求項２８】
対象物同定システムを更に備える、請求項１〜２７のいずれか１項に記載のキャビネット。
【請求項２９】
前記キャビネットの内部と前記キャビネットの外部との間に延在する１つ以上のオゾンフィルタを更に備える、請求項１〜２８のいずれか１項に記載のキャビネット。
【請求項３０】
前記キャビネットの内部の湿度を、所定の湿度範囲内となるように制御するための、湿度制御システム；及び／又は
前記キャビネットの内部の温度を、所定の温度範囲内となるように制御するための、温度制御システム
を更に備える、請求項１〜２９のいずれか１項に記載のキャビネット。
【請求項３１】
ユーザインタフェースを更に備える、請求項１〜３０のいずれか１項に記載のキャビネット。